(57)【要約】【課題】手首関節に対して受動的な関節の開閉運動を円滑に行うことができ、リハビリ効果の優れた手指関節のリハビリ用具および手指関節のリハビリ方法を得る。【解決手段】袋体１と、袋体１の内部に装着されているエアバックと、前記袋体１の表面に設けられた、母指以外の４本の指が挿入される指挿入部５と、手首、または下腕部を前記袋体に固定するためのベルクロテープ４１，４２と、前記袋体１の裏面に設けられた、母指を固定するための母指挿入部６と、エアーバックに接続されている空気を注入、排気するためのチューブ２と、手動ポンプ３とで構成された手指関節のリハビリ用具とする。【選択図】図１
2012016497.tif 000002
【特許請求の範囲】
【請求項１】
掌の背面または内面または両面に対向して配された柔軟性を有する袋体と、
該袋体の一端に掌の母指以外の４本の指を貫通させる第一の係止部と、
前記第一の係止部が設けられた袋体の面と反対側の面から延ばされている母指のみを貫通させる第二の係止部と、
前記第一の係止部が設けられた袋体の面と同一側に設けられた手首、または下腕部を前記袋体に固定させる第三の係止部と、
前記前記袋体の内部に挿入されたエアバックとで構成された手指関節のリハビリ用具であって、
前記エアバックに、気体もしくは流体を注入、排気されて、手首関節に対して受動的な関節の開閉運動が起こされることを特徴とする手指関節のリハビリ用具。
【請求項２】
前記第二の係止部の袋体との固定部は、前記袋体の長手方向に対して角度が付けられてい３０度〜４５度の角度が付けられていることを特徴とする請求項１記載の手指関節のリハビリ用具。
【請求項３】
前記第二の係止部の長手寸法が、長さ調整部を有することを特徴とする請求項１または２記載の手指関節のリハビリ用具。
【請求項４】
前記エアバックは、上面シートの寸法と、下面シートの寸法に差が設けられており、
上面シートの寸法／下面シートの寸法の比が、１．１から１．３の範囲であり、
外部から、空気を入れて膨らませた時、指の方向と、手の掌の方向との間の、そりの角度が１８０度以上調整可能であることを特徴とする請求項１または２記載の手指関節のリハビリ用具。
【請求項５】
前記エアバック内部には、同じ長さの仕切りが３個所設けられ、手の掌を乗せられるように、前記エアーバックが前記袋体を平らにすることを特徴とする請求項１記載の手指関節のリハビリ用具。
【請求項６】
掌の背面または内面または両面に対向して配された柔軟性を有する袋体に、
該袋体の一端に掌の母指以外の４本の指を貫通させる第一の係止部と、
前記第一の係止部が設けられた袋体の面と反対側の面から延ばされている母指を貫通させる第二の係止部と、
該袋体の前記第一の係止部が設けられた袋体の面と同一側に設けられた手首、または下腕部を前記袋体に固定させる第三の係止部とを設け、前記前記袋体の内部にエアバックを挿入して、
前記袋内に気体もしくは流体を注入し前記袋が膨張した状態で、前記手指関節の可動範囲内で、手首関節に対して受動的な関節の開閉運動を起こしてリハビリを行うことを特徴とする手指関節のリハビリ方法。
【請求項７】
前記第二の係止部の袋体との固定部を、前記袋体の長手方向に対して角度を付し、前記角度の範囲を３０度〜４５度とすることを特徴とする請求項６記載の手指関節のリハビリ方法。
【請求項８】
前記第二の係止部の長手寸法の長さを、調整することを特徴とする請求項６または７記載の手指関節のリハビリ方法
【請求項９】
前記エアバックの、上面シートの寸法と、下面シートの寸法に差を設け、
上面シートの寸法／下面シートの寸法の比が、１．１から１．３の範囲とし、
外部から、空気もしくは流体を入れて前記袋体を膨らませた時、指の方向と、手の掌の方向との間の、そりの角度が１８０度以上調整可能であることを特徴とする請求項６または７記載の手指関節のリハビリ方法。
【発明の詳細な説明】
【技術分野】
【０００１】
本発明は手指等の機能改善を行う手指関節のリハビリ用具および手指関節のリハビリ方法に関し、特に母指の固定を独立にしてリハビリを行う手指関節のリハビリ用具および手指関節のリハビリ方法に関する。
【背景技術】
【０００２】
従来の手指関節のリハビリ用具としては、例えば、特許文献１にて開示されている。
母指と、他の４本の指をグローブ体の同一面上に配置された指止めに挿入し、前記グローブ体に空気を注入および排気して、手指関節を動かすものである。
【先行技術文献】
【特許文献】
【０００３】
【特許文献１】特開平７−２３１９１９号公報
【発明の概要】
【発明が解決しようとする課題】
【０００４】
従来の手指関節のリハビリ用具には、以下の問題点があった。
すなわち、母指用の指止めと、他の４本の指止めが、同一面上にあるので、不自然な動きになり、十分なリハビリ効果が得られなかった。
【０００５】
本発明は、手首関節に対して受動的な関節の開閉運動を円滑に行うことができ、リハビリ効果の優れた手指関節のリハビリ用具および手指関節のリハビリ方法を提供することである。
【課題を解決するための手段】
【０００６】
本発明の請求項１に係る手指関節のリハビリ用具は、掌の背面または内面または両面に対向して配された柔軟性を有する袋体と、該袋体の一端に掌の母指以外の４本の指を貫通させる第一の係止部と、前記第一の係止部が設けられた袋体の面と反対側の面から延ばされている母指のみを貫通させる第二の係止部と、前記第一の係止部が設けられた袋体の面と同一側に設けられた手首、または下腕部を前記袋体に固定させる第三の係止部と、前記前記袋体の内部に挿入されたエアーバックとで構成された手指関節のリハビリ用具であって、前記エアバックに、気体もしくは流体を注入、排気されて、手首関節に対して受動的な関節の開閉運動が起こされることを特徴とする手指関節のリハビリ用具である。
本発明の請求項２に係る手指関節のリハビリ用具は、前記第二の係止部の袋体との固定部は、前記袋体の長手方向に対して角度が付けられていて３０度〜４５度の角度が付けられていることを特徴とする手指関節のリハビリ用具である。
本発明の請求項３に係る手指関節のリハビリ用具は、前記第二の係止部の長手寸法が、長さ調整部を有することを特徴とする手指関節のリハビリ用具である。
本発明の請求項４に係る手指関節のリハビリ用具は、前記エアーバックは、上面シート寸法、下面シートの寸法に差が設けられており、上面シートの寸法／下面シートの寸法の比が、１．１から１．３の範囲であり、外部から、空気もしくは流体を入れて膨らませた時、指の方向と、手の掌の方向との間の、そりの角度が１８０度以上調整可能であることを特徴とする手指関節のリハビリ用具である。
本発明の請求項５に係る手指関節のリハビリ用具は、前記エアーバック内部に、同じ長さの仕切りが３個所設けられ、手の掌を乗せられるように、前記エアーバックが前記袋体を平らにすることを特徴とする手指関節のリハビリ用具である。
【０００７】
本発明の請求項６に係る手指関節のリハビリ方法は、掌の背面または内面または両面に対向して配された柔軟性を有する袋体に、該袋体の一端に掌の母指以外の４本の指を貫通させる第一の係止部と、前記第一の係止部が設けられた袋体の面と反対側の面から延ばされている母指を貫通させる第二の係止部と、該袋体の前記第一の係止部が設けられた袋体の面と同一側に設けられた手首、または下腕部を前記袋体に固定させる第三の係止部とを設け、前記前記袋体の内部にエアバックを挿入して、前記袋内に気体もしくは流体を注入、排気して、前記手指関節の可動範囲内で、手首関節に対して受動的な関節の開閉運動を起こしてしてリハビリを行うことを特徴とする手指関節のリハビリ方法である。
本発明の請求項７に係る手指関節のリハビリ方法は、前記第二の係止部の袋体との固定部を、前記袋体の長手方向に対して角度を付し、前記角度の範囲を３０度〜４５度とすることを特徴とする手指関節のリハビリ方法である。
本発明の請求項８に係る手指関節のリハビリ方法は、前記第二の係止部の長手寸法の長さを、調整することを特徴とする手指関節のリハビリ方法である。
本発明の請求項９に係る手指関節のリハビリ方法は、前記エアバックの、上面シートの寸法と、下面シートの寸法に、差を設け、上面シートの寸法／下面シートの寸法の比が、１．１から１．３の範囲とし、外部から、空気もしくは流体を入れて前記袋体を膨らませた時、指の方向と、手の掌の方向との間の、そりの角度が１８０度以上調整可能であることを特徴とする手指関節のリハビリ方法である。
【発明の効果】
【０００８】
請求項１〜４に係る手指関節のリハビリ用具によれば、母指の動きを滑らかとすることができ、開閉運動を円滑に行うことができる手指関節のリハビリ用具を提供できる。
【０００９】
本発明によれば、手首関節に対して受動的な関節の開閉運動を円滑に行うことができ、医学的に、手指関節のリハビリ方法に関して、一定の方向に曲げることの指針があるので、医学的な指針に沿った、リハビリ効果の優れた手指関節のリハビリ用具および手指関節のリハビリ方法を提供することができる。
【図面の簡単な説明】
【００１０】
【図１】本発明の手指関節のリハビリ用具の斜視図である。
【図２】図１の手指関節のリハビリ用具を裏側から見た図である。
【図３】本発明の手指関節のリハビリ用具に使用するエアバックの図である。図３（a）は、正面図であり、図３（ｂ）は、側面図であり、図３（ｃ）は、上面図である。
【図４】本発明の手指関節のリハビリ用具の使用状態の図である。図４（a）は、エアーバックの抜気状態の側面図であり、図４（ｂ）は、エアーバックに空気を供給し膨らませた状態の側面図である。
【図５】本発明の手指関節のリハビリ用具の母指挿入部の動作の説明図である。図５（ａ）および図５（ｂ）は、エアーバックの抜気状態の時の母指挿入部の動作の説明図であり、図５（ｃ）および図５（ｄ）は、エアーバックに空気を供給し膨らませた状態の母指挿入部の動作の説明図である。
【発明を実施するための形態】
【００１１】
以下、本発明の一実施例を図面を用いて説明する。
【実施例】
【００１２】
図１は、本発明の手指関節のリハビリ用具の斜視図である。また、図２は、図１の手指関節のリハビリ用具を裏側から見た図である。
図１の手指関節のリハビリ用具は、袋体１と、袋体１の内部に装着されているエアーバック（図１では、図示していない）と、前記袋体１の表面に設けられた、母指以外の４本の指が挿入される指挿入部５と、手首、または下腕部を前記袋体に固定するためのベルクロテープ４１，４２と、前記袋体１の裏面に設けられた、母指を固定するための母指挿入部６と、エアーバックに接続されている空気を注入、排気するためのチューブ２と、手動ポンプ３とで構成されている。
【００１３】
図２は、図１の手指関節のリハビリ用具を裏側から見た図である。袋体１の内部には、点線で示したエアーバック１０が装着されており、このエアーバック１０は、エアーバック取り入れ口１１から出し入れすることができる。母指を固定するための母指挿入部６は、長さ可変固定部６１と、リング６２によって接続されている。
ここで、Ａは、袋体１の長手方向のラインであり、Ｂは、Ａのラインと直交するラインであり、Ｃは、母指挿入部６の長手方向のラインであり、ＢとＣのなす角度をαとしている。
角度αは、３０度〜４５度の範囲の角度が選択されて、長さ可変固定部６１が固定される。
【００１４】
ここで、図１の指挿入部５が、請求項１に記載した第一の係止部に相当し、図１の母指挿入部６が、請求項１に記載した第二の係止部に相当し、図１のベルクロテープ４１，４２が、請求項１に記載した第三の係止部に相当する。
【００１５】
図１の手指関節のリハビリ用具は、左手用であって、以下の手順にて使用する。まず、母指以外の４本の指を、指挿入部５に挿入し、母指を母指挿入部６に挿入する。ここで、母指挿入部の長さを長さ可変固定部６１を用いて、適切な位置関係を保つようにする。
図４は本発明の手指関節のリハビリ用具の使用状態の図である。図４（a）は、エアーバックの抜気状態の側面図であり、図４（ｂ）は、エアーバックに空気を供給し膨らませた状態の側面図である。
図４（ｂ）に示すように、手指が開いた状態にて、手指のラインＥは、掌の方向のラインＤに対して、１８０度以上にそっている。
これによって、より効果的な、リハビリが実現できる。
【００１６】
ここで、図３にて、本発明の手指関節のリハビリ用具に使用するエアーバックの図を示す。
図３（a）は、正面図であり、図３（ｂ）は、側面図であり、図３（ｃ）は、上面図である。前記エアーバックは、上面シート８の寸法と、下面シート９の寸法に差が設けられており、上面シートの寸法／下面シートの寸法の比が、１．１から１．３の範囲であり、
外部から、空気を入れて膨らませた時、指の方向と、手の掌の方向との間の、そりの角度を１８０度以上に調整することが可能となる。
また、エアーバックには、同じ長さの仕切り８１，８２，８３が３個所設けられ、手の掌を乗せられるように、前記エアーバックが前記袋体を平らにすることが可能となる。
【００１７】
図５は、本発明の手指関節のリハビリ用具の母指挿入部の動作の説明図である。
図５（ａ）および図５（ｂ）は、エアーバックの抜気状態の時の母指挿入部の動作の説明図であり、図５（ｃ）および図５（ｄ）は、エアーバックに空気を供給し膨らませた状態の母指挿入部の動作の説明図である。
本願の手指関節のリハビリ用具では、母指挿入部６が袋体１の裏側につき、かつ斜めの角度がついているので、より母指の動きが、人体の自然の状態の近くなっている。
これによって、より手首関節に対して受動的な関節の開閉運動を円滑にすることができる
【符号の説明】
【００１８】
１    袋体
２    チューブ
３    主動ポンプ
４    ベルクロテープ
５    指挿入部
６    母指挿入部
８    上面シート
９    下面シート
１０  エアーバック
１１    エアーバック取り入れ口
１２    気体注入口
１３    タック部
８１，８２，８３  仕切り
８４    空気の流れる通路
Ａ      袋体１の長手方向のライン
Ｂ      Ａのラインと直交するライン
Ｃ      母指挿入部６の長手方向のライン
Ｄ      掌の方向のライン
Ｅ      手指のライン
【図１】
2012016497.tif 000003
【図２】
2012016497.tif 000004
【図３】
2012016497.tif 000005
【図４】
2012016497.tif 000006
【図５】
2012016497.tif 000007